(57)【要約】【課題】ピンに溶接歪みが生じるのを防ぐことができるピンタイプ保持器およびそれを備えたころ軸受を提供する。【解決手段】第２リング１０２の貫通孔１０４は、第１リング１０１側に近づくにしたがって徐々に径が拡大する。貫通孔１０４とピン１０３の第２リング１０２側の端部との間にはアダプタスリーブ１０９が配置されている。アダプタスリーブ１０９は、第１リング１０１側に近づくにしたがって徐々に径が拡大する拡径部を有すると共に、その拡径部の小径端部に連なるねじ部を有する。拡径部にはスリットが形成されている。アダプタスリーブ１０９のねじ部にはナット１１０を螺合させて締め付ける。これにより、第２リング１０２の貫通孔１０４の内面とアダプタスリーブ１０９の拡径部の外面とが互いに押圧し、ピン１０３がアダプタスリーブ１０９の内面でクランプされる。【選択図】図３
2009041681.tif 000002
【特許請求の範囲】
【請求項１】
第１リングと
周方向に所定間隔をあけて設けられると共に、上記第１リング側に近づくにしたがって徐々に径が拡大する複数の貫通孔を有する第２リングと、
上記第１リングに一端が取り付けられると共に、上記第２リング側の端部が上記第２リングの貫通穴に遊嵌された丸棒状のピンと、
上記ピンの上記第２リング側の端部と上記第２リングの貫通孔との間に配置されると共に、上記第１リング側に近づくにしたがって徐々に径が拡大すると共に、スリットを有する拡径部と、この拡径部の小径端部に連なるねじ部とを有するアダプタスリーブと、
上記アダプタスリーブのねじ部に取り付けられた螺合部材と
を備え、
上記螺合部材を上記アダプタスリーブのねじ部に螺合させて締め付けることにより、上記第２リングの貫通孔の内面と上記アダプタスリーブの拡径部の外面とが互いに押圧し、上記ピンが上記アダプタスリーブの内面でクランプされていることを特徴とするピンタイプ保持器。
【請求項２】
内輪と、
外輪と、
上記内輪と上記外輪との間に配置されると共に、貫通孔を有する複数のころと、
上記複数のころの貫通孔に上記ピンが挿通された請求項１に記載のピンタイプ保持器と
を備えたことを特徴とするころ軸受。
【発明の詳細な説明】
【技術分野】
【０００１】
本発明は、例えば、風力発電機や鉄鋼圧延機等に使用されるピンタイプ保持器およびそれを備えたころ軸受に関する。
【背景技術】
【０００２】
従来、ころ軸受としては、図７に示すように、円筒ころ３０１と、この円筒ころ３０１を保持するピンタイプ保持器３０２とを備えたものがある（特許文献１：実開昭５６−１１１３１８号公報）。
【０００３】
上記ピンタイプ保持器３０２は、環状の第１リング３０４および第２リング３０５と、この第１リング３０４および第２リング３０５を連結する複数の丸棒状のピン３０３（１個のみを示す）とを備える。
【０００４】
上記各ピン３０３は、円筒ころ３０１の中心の貫通孔３０６に挿通されて、各円筒ころ３０１を回転自在に、かつ、円筒ころ３０１同士の間隔を所定に保つようにしている。上記ピン３０３の一端部は第２リング３０５に螺合し、また、上記ピン３０３の他端部は、第１リング３０４に形成された円錐状の貫通孔３０７に挿入されている。上記円錐状の貫通孔３０７の内面とピン３０３の他端部との間に、外周面が円錐面状のブッシュ３０８を圧入し、かつ、ピン３０３と第１リング３０４とを溶接して、ピン３０３を第１リング３０４に固定している。
【０００５】
このように、上記従来のピンタイプ保持器３０２では、第１リング３０４に対するピン３０３の固定力が弱いため、ピン３０３と第１リング３０４とを溶接する必要がある。
【０００６】
しかしながら、上記ピン３０３と第１リング３０４とを溶接すると、第１リング３０４とピン３０３とに溶接歪みが生じて、第１リング３０４に対するピン３０３の垂直度が悪くなってしまう。
【特許文献１】実開昭５６−１１１３１８号公報
【発明の開示】
【発明が解決しようとする課題】
【０００７】
そこで、本発明の課題は、ピンに溶接歪みが生じるのを防ぐことができるピンタイプ保持器およびそれを備えたころ軸受を提供することにある。
【課題を解決するための手段】
【０００８】
上記課題を解決するため、本発明のピンタイプ保持器は、
第１リングと
周方向に所定間隔をあけて設けられると共に、上記第１リング側に近づくにしたがって徐々に径が拡大する複数の貫通孔を有する第２リングと、
上記第１リングに一端が取り付けられると共に、上記第２リング側の端部が上記第２リングの貫通穴に遊嵌された丸棒状のピンと、
上記ピンの上記第２リング側の端部と上記第２リングの貫通孔との間に配置されると共に、上記第１リング側に近づくにしたがって徐々に径が拡大すると共に、スリットを有する拡径部と、この拡径部の小径端部に連なるねじ部とを有するアダプタスリーブと、
上記アダプタスリーブのねじ部に取り付けられた螺合部材と
を備え、
上記螺合部材を上記アダプタスリーブのねじ部に螺合させて締め付けることにより、上記第２リングの貫通孔の内面と上記アダプタスリーブの拡径部の外面とが互いに押圧し、上記ピンが上記アダプタスリーブの内面でクランプされていることを特徴としている。
【０００９】
上記構成のピンタイプ保持器によれば、上記アダプタスリーブのねじ部に螺合させた螺合部材を締め付けに伴って、拡径部のスリットが小さくなり、アダプタスリーブが第１リングから離れる方向に進行する。これにより、上記第２リングの貫通孔の内面とアダプタスリーブの拡径部の外面とが互いに押圧し、ピンがアダプタスリーブの内面でクランプされる。
【００１０】
その結果、上記第２リングにピンが強固に固定されるので、第２リングとピンとを溶接しなくてもよい。
【００１１】
したがって、上記第２リングとピンとの溶接をなくして、ピンに溶接歪みが生じるのを防ぐことができる。
【００１２】
また、上記ピンの溶接歪みの発生を防げるから、第２リングに対するピンの垂直度が悪くなるのを防げる。
【００１３】
本発明のころ軸受は、
内輪と、
外輪と、
上記内輪と上記外輪との間に配置されると共に、貫通孔を有する複数のころと、
上記複数のころの貫通孔に上記ピンが挿通された上記ピンタイプ保持器と
を備えたことを特徴としている。
【００１４】
上記構成のころ軸受によれば、上記ピンタイプ保持器を備えていることによって、ころ間の隙間を小さくでき、しかも、ころを正規の姿勢に保持することができるから、スムーズに回転できる。
【発明の効果】
【００１５】
本発明のピンタイプ保持器によれば、螺合部材をアダプタスリーブのねじ部に螺合させて締め付けることによって、第２リングの貫通孔の内面とアダプタスリーブの拡径部の外面とが互いに押圧し、ピンがアダプタスリーブの内面でクランプされるので、第２リングにピンが強固に固定されるので、第２リングとピンとを溶接しなくてもよい。
【００１６】
したがって、上記第２リングとピンとの溶接をなくして、ピンに溶接歪みが生じるのを防ぐことができる。
【００１７】
また、上記ピンの溶接歪みの発生を防げるから、第２リングに対するピンの垂直度が悪くなるのを防げる。
【００１８】
本発明のころ軸受によれば、上記ピンタイプ保持器を備えていることによって、ころ間の隙間を小さくでき、しかも、ころを正規の姿勢に保持することができるから、スムーズに回転できる。
【発明を実施するための最良の形態】
【００１９】
以下、本発明のピンタイプ保持器およびころ軸受を図示の実施の形態により詳細に説明する。
【００２０】
図１に、本発明の一実施の形態の円錐ころ軸受を斜めから見た模式図を示す。なお、図１においては、上記円錐ころ軸受の断面を示すため、円錐ころ軸受の一部を除去している。
【００２１】
上記円錐ころ軸受は、内輪１と、外輪２と、内輪１と外輪２との間に配置された複数の円錐ころ３と、この円錐ころ３同士の間隔を所定に保つように保持するピンタイプ保持器１００とを備えている。
【００２２】
図２に、図１の円Ａで囲んだ部分を拡大して示す。
【００２３】
上記内輪１は、軸方向に対して傾斜する内輪軌道面４を有している。また、上記内輪１には、内輪軌道面４の軸方向の両側に鍔部６が形成されている。
【００２４】
上記外輪２は、軸方向に対して傾斜し、かつ、内輪軌道面４に沿って延びる外輪軌道面５を有している。また、上記外輪２は、一方の軸方向の端部が他方の軸方向の端部よりも厚く形成されて、断面形状が略台形となっている。
【００２５】
上記各円錐ころ３の中心には貫通孔７が形成されている。この貫通孔７は、円錐ころ３の中心軸（転動軸）に沿って延び、円錐ころ３を貫通している。
【００２６】
上記ピンタイプ保持器１００は、炭素鋼であるＳ２５Ｃから形成される環状の第１リング１０１と、この第１リング１０１に軸方向に間隔をあけて設けられ、炭素鋼であるＳ２５Ｃから形成される環状の第２リング１０２と、それぞれが円錐ころ３の中心の貫通孔７に挿通され、肌焼鋼であるＳＡＥ８６２０から形成される複数の丸棒状のピン１０３とを備えている。
【００２７】
上記第１リング１０１には、周方向に所定間隔をあけて複数のねじ孔１０５が形成されている。この各ねじ孔１０５は第１リング１０１を貫通している。
【００２８】
上記第２リング１０２は、第１リング１０１の外径よりも小さな外径を有すると共に、第１リング１０１の内径よりも小さな内径を有する。
【００２９】
上記各ピン１０３は、浸炭処理が施され、一端が第１リング１０１に取り付けられ、かつ、他端が第２リング１０２に取り付けられている。また、上記各ピン１０３は、円錐ころ３の中心の貫通孔７に挿通されて、円錐ころ３を回転自在に支持する。そして、上記各ピン１０３の第１リング１０１側の端部にはねじ軸１０６が形成されている。このねじ軸１０６を第１リング１０１のねじ孔１０５に螺合させることにより、各ピン１０３の第１リング１０１側の端部を第１リング１０１に固定している。
【００３０】
図３、図４および図５のそれぞれに、上記ピンタイプ保持器１００の模式断面を示す。なお、図４では、図３とは異なる方向から見た模式断面を示している。また、図５では、図３，図４とは異なる方向から見た模式断面を示している。
【００３１】
上記第２リング１０２には、図３に示すように、周方向に所定間隔をあけて複数の貫通孔１０４が形成されている。この各貫通孔１０４は、第２リング１０２を貫通し、第１リング１０１側に近づくにしたがって徐々に径が拡大する円錐状となっている。また、上記各貫通孔１０４には、ピン１０３（１個のみを示す）の第２リング１０２側の端部が遊嵌される。
【００３２】
上記各ピン１０３の第２リング１０２側の端面には、図４に示すように、六角柱状の盲孔１１５が形成されている。
【００３３】
また、上記ピンタイプ保持器１００は、図３〜図５に示すように、アダプタスリーブ１０９および六角ナット１１０を備えている。なお、上記六角ナット１１０は螺合部材の一例である。
【００３４】
上記アダプタスリーブ１０９は、炭素鋼であるＳ２５Ｃからなって、ピン１０３の第２リング１０２側の端部と第２リング１０２の貫通孔１０４との間に配置されている。なお、炭素鋼としては、Ｓ１５Ｃ，Ｓ２０Ｃ，Ｓ３０Ｃ，Ｓ３５Ｃ，Ｓ４０Ｃ，Ｓ４５Ｃ，Ｓ５０Ｃ，Ｓ５５Ｃであってもよい。
【００３５】
図６に、上記アダプタスリーブ１０９を斜めから見た模式図を示す。
【００３６】
上記アダプタスリーブ１０９は、ねじ部１１１と拡径部１１２とを有すると共に、自身の中心軸に沿って延びる貫通孔１１４を有している。
【００３７】
上記拡径部１１２は、第１リング１０１側に近づくにしたがって徐々に径が拡大するように形成されている（図３〜図５参照）。また、上記拡径部１１２には、貫通孔１１４に連通するスリット１１３が形成されている。
【００３８】
上記ねじ部１１１は拡径部１１２の小径端部に連なっており、図３、図４および図５に示すように、六角ナット１１０がねじ部１１１に螺合する。
【００３９】
以下、上記ピンタイプ保持器１００の組立について説明する。
【００４０】
上記ピンタイプ保持器１００を組み立てる場合、まず、第１リング１０１上に複数の円錐ころ３を載置する。このとき、上記円錐ころ３同士の間隔を、図示しない治具によって所定に保つと共に、第１リング１０１のねじ孔１０５と円錐ころ３の中心の貫通孔７との位置を合わせる。
【００４１】
次に、上記第２リング１０２、アダプタスリーブ１０９および六角ナット１１０を仮組みしたものを複数の円錐ころ３上に載置する。このとき、上記アダプタスリーブ１０９の貫通孔１１４と円錐ころ３の中心の貫通孔７との位置を合わせる。
【００４２】
次に、上記アダプタスリーブ１０９の貫通孔１１４と、円錐ころ３の中心の貫通孔７とに、ピン１０３を挿通する。そして、上記ピン１０３の第２リング１０２側の端面の盲孔１１５に、図示しない六角レンチの先端部を嵌合させた後、その六角レンチを回して、ピン１０３のねじ軸１０６を第１リング１０１のねじ孔１０５に螺合させる。これにより、上記ピン１０３の第１リング１０１側の端部が第１リング１０１に固定される。
【００４３】
次に、上記第１リング１０１と第２リング１０２との軸方向間隔を調整した上で、六角ナット１１０を締め付ける。これに伴って、上記拡径部１１２のスリット１１３が小さくなり、アダプタスリーブ１０９が第１リング１０１から離れる方向に進行する。そして、上記六角ナット１１０の締め付けが完了すると、拡径部１１２のスリット１１３が閉じると共に、第２リング１０２の貫通孔１０４の内面とアダプタスリーブ１０９の拡径部１１２の外面とが全周にわたって互いに押圧する。
【００４４】
また、上記六角ナット１１０の締め付けが完了すると、ピン１０３の第２リング１０２側の端部がアダプタスリーブ１０９の内面でクランプされる。
【００４５】
その結果、上記第２リング１０２にピン１０３が強固に固定されるので、第２リング１０２とピン１０３とを溶接しなくてもよい。
【００４６】
したがって、上記第２リング１０２とピン１０３との溶接をなくして、ピン１０３に溶接歪みが生じるのを防ぐことができる。
【００４７】
また、上記ピン１０３に溶接歪みが生じるのを防げるから、第２リング１０２に対するピン１０３の垂直度を良好に維持できる。
【００４８】
また、上記円錐ころ軸受は、ピンタイプ保持器１００を備えていることによって、円錐ころ間の隙間を小さくでき、しかも、円錐ころ３を正規の姿勢に保持することができるから、スムーズに回転できる。
【００４９】
上記実施の形態では、ピンタイプ保持器１００で複数の円錐ころ３を保持していたが、本発明のピンタイプ保持器は、円錐ころ軸受のみに使用されるものに限定されず、円筒ころ軸受や、他の様々なころ軸受に使用できる。
【００５０】
上記実施の形態では、アダプタスリーブ１０９は、ピン１０３の第２リング１０２側の端部と第２リング１０２との結合にのみ用いられていたが、ピン１０３の第２リング１０２側の端部と第２リング１０２との結合に用いると共に、ピン１０３の第１リング１０１側の端部と第１リング１０１との結合に用いるようにしてもよい。
【００５１】
なお、上記実施の形態では、第１リング１０１および第２リング１０２は炭素鋼から形成されていたが、ＳＳ４００等を含む一般構造用圧延鋼材から形成されていてもよく、材料が限定されるものではない。また、上記ピン１０３は肌焼鋼から形成されていたが、材料が限定されるものではない。さらに、アダプタスリーブ１０９についても炭素鋼から形成されていたが、その材料が限定されるものではない。
【図面の簡単な説明】
【００５２】
【図１】図１は本発明の一実施の形態のころ軸受の模式斜視図である。
【図２】図２は図１の円Ａ内の部分の拡大模式図である。
【図３】図３は本発明の一実施の形態のピンタイプ保持器の模式断面を示す図である。
【図４】図４は上記ピンタイプ保持器の模式断面を示す他の図である。
【図５】図５は上記ピンタイプ保持器の模式断面を示す他の図である。
【図６】図６は上記ピンタイプ保持器のアダプタスリーブの模式斜視図である。
【図７】図７は従来のころ軸受の要部の模式断面図である。
【符号の説明】
【００５３】
１００  ピンタイプ保持器
１０１  第１リング
１０２  第２リング
１０３  ピン
１０４  貫通孔
１０９  アダプタスリーブ
１１０  六角ナット
１１１  ねじ部
１１２  拡径部
【図１】
2009041681.tif 000003
【図２】
2009041681.tif 000004
【図３】
2009041681.tif 000005
【図４】
2009041681.tif 000006
【図５】
2009041681.tif 000007
【図６】
2009041681.tif 000008
【図７】
2009041681.tif 000009